(57)【要約】【課題】家庭用使用済み保冷剤はゴミとして捨てられている。資源を大切に保冷帽子に利用することを試みたが、自然に凍らせると密着せず被り心地が悪い。又頭を冷やし過ぎることはよくないので、保冷剤を簡単に取り外せる様にすることが必要である。帽子はつばの部分が硬かったり、又軟らかい物でも折りたたむと型がくずれてしまう為、持ち運び等に気を遣うことが多い。【解決手段】頭の形に合わせた丸みを施した形で保冷剤をはさみ込み使い心地の良い保冷剤を成形する型を考案した。布袋に面ファスナーテープを付けて帽子から取り外しが簡単に出来るように保冷剤収納袋を考案した。帽子と共に頭部を冷却出来る物としてヘアーバンドに注目し、保冷剤を収納して利用出来る様に収納付ヘアーバンドを考案した。これらにより上記課題を解決するものである。【選択図】図１
0003114016.tif 000002
【実用新案登録請求の範囲】
【請求項１】
多くの家庭で捨てられている使用済み保冷剤を保冷帽子に入れる等、頭部を冷却をする資源として有効に再利用出来る様、頭部の形に合わせた丸みのある型を用いて保冷剤をはさみ込むことにより、頭部により密着する様に形を定めて凍らせる保冷剤成形型
【請求項２】
保冷剤の用途を広げると共により便利に使用する為に面ファスナーテープを施した保冷剤収納袋
【請求項３】
保冷剤を挿入する収納部を一つないし二つ施したヘアーバンド
【考案の詳細な説明】
【技術分野】
【０００１】  本考案は、使用済み保冷剤の再利用に関するものである。
【背景技術】
【０００２】  暑い日に保冷剤を帽子に取り付けることは心身共に良い結果が得られる
（例えば、特許文献１を参照）
【特許文献１】  実開平７−２８９２５号公報（第５ページ、２図、３図）
【考案の開示】
【考案が解決しようとする課題】
【０００３】  前記の実開平７−２８９２５号が考案された時に比較し、現在は殆んどの家庭で商品に付いてきた保冷剤が眠っていたり、ゴミとして捨てられている。
そこで、その有効利用として夏期等に身体の冷却に利用できないかと考えた。しかし、そのまま自然に冷凍庫で凍らせると頭部の形に合わなくなり、帽子の被り心地も悪いし、即冷感が得られない。
さらに２つ目の課題として、前記の特許には蓄冷剤収納部が付いている。図を注意して見ると頭の頂点からずらした所に付いている。
暑くて元気が出ない時や急に炎天下に繰り出す時、頭の頂点を冷やすことは瞬時に快適になることを経験している。一定時間（経験では４５分程）頭部を保冷剤（７ｃｍ×１０ｃｍ）で冷やすとその後もしばらく暑さを忘れ、体がリフレッシュしたまま過ごせる。気持ち良いからと言って、冷やし過ぎも良くない。
３つ目の課題として、帽子はつばの部分が硬かったり、又はやわらかい物でも折りたたむと型がくずれてしまうため持ち運び等に気を使うことが多い。室内でも頭部を冷やすとき帽子では不自然である。
【課題を解決する為の手段】
【０００４】  本考案は溶けて軟い状態の保冷剤を包みごと型で上下からはさみ込み冷凍することにより、帽子用の保冷剤として使用する時、より密着感・冷感が得られるようになり、上記課題を解決するものである。
本考案は上記で成形した保冷剤を帽子等に使用する際収納袋に入れることにより冷えて気持ち良くなったら、取り外したり、位置をかえたり自由にできるようにすることで、上記課題を解決するものである。
本考案はヘアーバンドに保冷剤収納部を施すことにより保冷帽子と同様に頭部を冷やすという目的を果たし、しかもコンパクトに折りたたんで持ち運びが便利で上記課題を解決するものである。
【考案の効果】
【０００５】  家庭用使用済み保冷剤（商品を買入した時、一時的に付いてきた保冷剤）は、捨てるのはもったいないと思って取って置いても台所の隅や冷凍庫の中で使われずにあるか、一回の使用でゴミとして処理されている。
しかしながら、本考案で提案した使用済み保冷剤の成形型を使用して帽子に保冷剤を使用することにより次にあげる効果がある。
１．資源の再利用を可能にする。またゴミの量を減らし資源を大切にするという認識が強まる。
２．保冷帽子を被った直後、瞬時に冷感が得られる。
３．保冷帽子に今まで以上に大きい保冷剤を使用できる。
４．保冷帽子に小さい保冷剤を重ねて使用できる
５．帽子に入れないで持ち運ぶ時（冷房の効いた室内や車内で過ごした後に使用する時）型がそろっているので場所をとらず、重ねて収納する事により融けにくい。
６．帽子だけでなく、暑くて寝苦しい日は枕として後頭部に使用できる。
７．冷凍ボックスがあれば家だけでなく、屋外でも頭の形に合った保冷剤を作り出し、繰り返し利用することができる。
８．このようにして、保冷帽子を被ることにより、猛暑の中でのスポーツ観戦、レジャー、犬の散歩、子供や老人の外出、買い物、通勤、通学、ビジネス、屋外の運動一般等の様々な活動の時に暑さからくる体力低下やストレス、日射病、熱射病の予防となる。しかも、安価で誰もが利用できる。
【０００６】本考案で提案した保冷剤収納袋を用いると次に上げる効果がある。
１．自分の体に合わせて、被っている帽子から保冷剤の取り付け取り外しをすることにより、身体の冷却を調節できる。
２．頭だけでなく体の冷やしたい部分に袋ごと当てて気持ち良くなることができる。
３．汗などで汚れても洗濯して使えるので衛生的である。
４．暑さで寝苦しい日の安眠枕としても袋に入っていると、ずれ落ちることがなく使い心地が良い。
更に袋を変形させて動物の形や（使用権利を買い入れして）マスコット（球団等）人形をあしらったものを取り入れると次のような効果がある。
１．子どもが喜んで保冷帽子を被ったり、保冷枕で機嫌良く睡眠しやすくなる。
２．保冷剤が融けて効力が無くなった後も子どもたちは動物やマスコット人形で覆われている袋の軟らかくなった感触を味わったり、わらべ歌あそびや歌を歌ったりして周囲の友だちや大人と触れ合いながら遊ぶことも出来る。
３．子どもが喜ぶマスコット人形である為、暑い日は袋の中に保冷剤を入れ、お菓子（チョコレートやキャラメル等）を持ち運べる。
【０００７】  ヘアーバンドに収納部をつけることによって次にあげる効果がある。
１．室内で気温が高くストレスや不調を感じる時、保冷剤を入れて頭部にまくと、リフレッシュできる。
２．冷房を止めたり、弱くすることにより、消費電力を減らす。
３．頭や首を冷やして体全体を冷やさないで済むので、腰痛予防になる。他にも冷えによる病気の予防になる。
４．年間を通して高熱時に効果がある。
５．火傷やこぶが出来た時など、患部を冷やすことができる。
６．ヘアーバンドに収納部分がついているので保冷剤だけでなく使い捨てカイロを入れて体の部分を温めることができる。（幼い子どものお腹を温めるのに大人のヘアーバンドで足りる。女性の足が冷えて眠れない時に足首を温めると効果有り）
７．コンパクトにたためるので、持ち運びに便利である。
【考案を実施する為の最良の形態】
【０００８】  図１に示すように成形型はふた４、中ぶた５、底６の部分を組み合わせて形作る。冷凍庫が狭い場合は底６の部分は外せる様にした。ふた４は大きい保冷剤２（１４ｃｍ×１７ｃｍ）よりひとまわり大きくし、大小どちらの保冷剤も成形できるようにする。底６の部分は中ぶた５より２ｍｍ程縦横大きくし、溝１２を付けて重なるようにする。
図２に示すようにふた４に頭部に合わせた丸みを施す。中央に第二指（人差し指）が入る大きさの穴７を開けることで取り付け取り外しが親指と人差し指で出来るようにする。保冷剤の厚み（１枚ないし２枚）に合わせて調節できる穴１０を数箇所施す。
図３に示すように中ぶた５の中央部分に小さい保冷剤３（７ｃｍ×１０ｃｍ）を定めて置き易く、又ずれ落ちない様に突起１３を施す。ふた４に開けた穴１０にはめる押え１１の細工を中ぶた５に施す。ふた４と同様に頭部に合わせた丸みを施す。
図４に示すように底６には図１で上述した溝１２を施す。保冷剤２・３をストックして置く時、見え易いように透明にする。片手で冷凍庫に出し入れ出来るように持ち手８を付ける。
図５に示すように底６の下は平面でなく突起９させることにより、冷凍庫の下の面に水滴が凍った場合でも凍結しないで簡単に出し入れ出来るようにした。
【０００９】  図１０に示すように保冷剤収納袋１４に面ファスナーテープ１５・１６を施し開閉できるにする。更に裏面に２ヶ所面ファスナーテープ１５を施す。
図１１に示すように帽子１８・１９に面ファスナーテープのメス１６を施し保冷剤収納袋１４を貼り付けることが出来るようにする。その場で面ファスナーテープ１６を付ける時は強力接着剤１７を用いる。
図１３・図１４に示すように婦人用帽子１９の様につばの広い帽子には頭頂部だけでなく後頭部にも保冷剤収納袋１４を取り付けられるように面ファスナーテープ１６を付ける。
図１５・図１６・図１７・図１８に示すように保冷剤収納袋１４の応用として子どもたち若者たちの好みそうな人形、動物、マスコットなどの形を取り入れた袋２１・２２を作る。
【００１０】  図１９・図２０・図２１に示すようにヘアーバンドの製作過程で縫い合わせにより収納部を作る。図２２・図２３のしめすように素材２４が伸縮する物なので、めくって保冷剤３を入れることが出来る。小さい保冷剤３は奥に大きい保冷剤２は手前に収まるようにした。
【産業上利用可能性】
【００１１】  保冷剤成形型が生産販売される。
保冷帽子に利用することにより、帽子が売れる他、次のような可能性がある。
小型クーラーボックスやクーラーバッグ、クーラー袋、冷凍ボックスが売れる。
面ファスナーテープ、強力接着剤、布等が売れる。
暑いシーズンのレジャー産業やスポーツ観戦が盛んになり主催者・地元の経済効果も大きい。
【図面の簡単な説明】
【００１２】
【図１】ふた、中ぶた、そこの３つの部品から成る成形型全形
【図２】丸み、中央部に穴、調節用の穴を施したふた
【図３】丸み、保冷剤をセットした時ずれ落ちない様にする為の溝、ふたに施した調節用の穴にはめる押えの細工を施した中ぶた
【図４】中ぶたがはまる溝、片手で出し入れするのに便利な持ち手を施してある底の部分、色は透明
【図５】底の部分の下側は平面でなく周囲ひとまわり突起している。
【図６】保冷剤をはさんで成形する時の断面図
【図７】ふたの断面図である。
【図８】中ぶたの断面図である。
【図９】底の断面図である。
【図１０】開閉部に面ファスナーテープ、裏面にも面ファスナーテープのオスを２ヶ所施した保冷剤収納袋
【図１１】面ファスナーテープのメスを２つ付けた帽子に保冷剤収納袋を貼り付けた断面図。
【図１２】図１１を上から見た図
【図１３】面ファスナーテープのメスを２つずつ頭頂部と後頭部に付けた帽子に保冷剤収納袋を貼り付けた断面図
【図１４】図１３の側面図
【図１５】手を入れて遊んだり、お菓子（チョコレートやキャラメル）等も入れることができる保冷剤収納袋
【図１６】図１５の裏側
【図１７】保冷剤が融けた後も触感を楽しみながら遊べる保冷剤収納袋の応用品
【図１８】図１７の裏側
【図１９】ヘアーバンド用布を輪に縫う
【図２０】３分の１折り曲げ点線の通り縫う
【図２１】さらに３分の１折り曲げ点線の通り２ヶ所縫う
【図２２】小さい保冷剤を奥に入れた図
【図２３】大きい保冷剤を手前に入れた図
【符号の説明】
【００１３】１    保冷剤成形型本体
２    保冷剤大（約１４ｃｍ×１７ｃｍ）
３    保冷剤小（約７ｃｍ×１０ｃｍ）
４    ふた
５    中ぶた
６    底
７    穴（ふた中央部分の）
８    取っ手
９    底の突起
１０  調節穴
１１  穴押え
１２  中ぶたがはまる溝
１３  すべり落ち防止突起
１４  保冷剤収納袋
１５  面ファスナーテープ（オス）（凸）
１６  面ファスナーテープ（メス）（凹）
１７  強力接着剤
１８  帽子
１９  婦人用帽子
２０  頭部
２１  収納袋に動物をあしらった袋
２２  収納袋を備えた人形
２３  縫い目
２４  ヘアーバンド用伸縮布
２５  収納部付きヘアーバンド
【図１】
0003114016.tif 000003
【図２】
0003114016.tif 000004
【図３】
0003114016.tif 000005
【図４】
0003114016.tif 000006
【図５】
0003114016.tif 000007
【図６】
0003114016.tif 000008
【図７】
0003114016.tif 000009
【図８】
0003114016.tif 000010
【図９】
0003114016.tif 000011
【図１０】
0003114016.tif 000012
【図１１】
0003114016.tif 000013
【図１２】
0003114016.tif 000014
【図１３】
0003114016.tif 000015
【図１４】
0003114016.tif 000016
【図１５】
0003114016.tif 000017
【図１６】
0003114016.tif 000018
【図１７】
0003114016.tif 000019
【図１８】
0003114016.tif 000020
【図１９】
0003114016.tif 000021
【図２０】
0003114016.tif 000022
【図２１】
0003114016.tif 000023
【図２２】
0003114016.tif 000024
【図２３】
0003114016.tif 000025
【手続補正書】
【提出日】平成17年6月9日(2005.6.9)
【手続補正１】
【補正対象書類名】実用新案登録請求の範囲
【補正対象項目名】全文
【補正方法】変更
【補正の内容】
【実用新案登録請求の範囲】
【請求項１】
丸みのある保冷剤を成形する為の成形型であって、頭部の形に合わせた丸みのある型を用いて保冷剤をはさみ込む押えを有し、頭部により密着するように形を定めて凍らせる保冷剤成形型。
【請求項２】
丸みのある保冷剤を収納する為に面ファスナーテープを施した保冷剤収納袋。
【請求項３】
丸みのある保冷剤を挿入する収納部を一つないし二つ施したヘアーバンド。